【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
要素キャリアのアグリゲーションを適用する電気通信システムにおける通信のための上りリンク送信タイミング補正を決定するための基地局（６００）における方法であって、
選択された上りリンク要素キャリア上で、ユーザ装置（７００）から信号を受信するステップ（５０）と、
前記受信信号の到来時間を測定するステップ（５１）と、
測定された前記到来時間に基づいて、前記上りリンク送信タイミングのタイミング補正を決定するステップ（５２）と、
前記ユーザ装置により使用される前記上りリンク要素キャリアのいずれに対して、決定された前記タイミング補正が有効であるかを決定するステップ（５３）と、
前記タイミング補正と前記上りリンク要素キャリアのいずれに対して前記タイミング補正が有効であるかの情報を、前記ユーザ装置へ送信するステップ（５４）と、
を有することを特徴とする方法。
【請求項２】
決定された前記タイミング補正が前記上りリンク要素キャリアのいずれに対して有効であるかの前記決定は、それぞれの前記上りリンク要素キャリアと関連する下りリンク・タイミング・リファレンスに基づく、
ことを特徴とする請求項１に記載の方法。
【請求項３】
前記タイミング補正は、前記選択された上りリンク要素キャリアに関連する前記下りリンク・タイミング・リファレンスと揃った関連する下りリンク・タイミング・リファレンスを有する、前記上りリンク要素キャリアに対して有効であると決定される、
ことを特徴とする請求項２に記載の方法。
【請求項４】
前記下りリンク・タイミング・リファレンスは、１つの下りリンク要素キャリアの同期信号又は参照信号である、
ことを特徴とする請求項３に記載の方法。
【請求項５】
前記タイミング補正は、前記選択された上りリンク要素キャリアに関連する前記下りリンク・タイミング・リファレンスに対して定められたオフセットを伴う、関連する下りリンク・タイミング・リファレンスを有する前記上りリンク要素キャリアに対して有効であると決定される、
ことを特徴とする請求項２に記載の方法。
【請求項６】
前記下りリンク・タイミング・リファレンスは、異なる複数の下りリンク要素キャリア上での同期信号又は参照信号である、
ことを特徴とする３又は５に記載の方法。
【請求項７】
前記要素キャリアが、複数のキャリアに跨り、異なる下りリンクまたは上りリンク割り当てを伴う時分割複信キャリアであるときに、前記タイミング補正は前記選択された要素キャリアに対してのみ有効であると決定する、
ことを特徴とする請求項１に記載の方法。
【請求項８】
いずれの要素キャリアに対して前記タイミング補正が有効であるかの情報は、ＲＲＣシグナリングを介して構成される、
ことを特徴とする請求項１から７のいずれか１項に記載の方法。
【請求項９】
いずれの要素キャリアに対して前記タイミング補正が有効であるかの情報は、ＭＡＣ制御要素を伴ってシグナリングされる、
ことを特徴とする請求項１から７のいずれか１項に記載の方法。
【請求項１０】
前記タイミング補正は、タイミング・アドバンス・コマンドにおいて送信される、
ことを特徴とする請求項１から９のいずれか１項に記載の方法。
【請求項１１】
前記タイミング補正と前記上りリンク要素キャリアのいずれに対して前記タイミング補正が有効であるかの情報の両方を含むメッセージが、ＲＲＣ又はＭＡＣ制御要素を介してユーザ装置に送信される、
ことを特徴とする請求項１から７のいずれか１項に記載の方法。
【請求項１２】
前記上りリンク送信タイミングの前記タイミング補正を決定するステップは、到来時間リファレンスにも基づく、
ことを特徴とする請求項１から１１のいずれか１項に記載の方法。
【請求項１３】
要素キャリアのアグリゲーションを適用する電気通信システムにおける通信のための上りリンク送信タイミング補正を決定するためのユーザ装置（７００）における方法であって、
上りリンク要素キャリア上で信号を基地局（６００）へ送信するステップ（５５）と、
前記上りリンク送信タイミングのタイミング補正と、上りリンク要素キャリアのいずれに対して前記タイミング補正が有効であるかの情報を前記基地局から受信するステップ（５６）と、
前記タイミング補正が有効である前記要素キャリアの前記上りリンク送信タイミングを、前記タイミング補正に基づいて調整するステップ（５７）と、
を有することを特徴とする方法。
【請求項１４】
いずれの要素キャリアに対して前記タイミング補正が有効であるかの情報は、ＲＲＣシグナリングを介して構成される、
ことを特徴とする請求項１３に記載の方法。
【請求項１５】
いずれの要素キャリアに対して前記タイミング補正が有効であるかの情報は、ＭＡＣ制御要素を伴ってシグナリングされる、
ことを特徴とする請求項１３に記載の方法。
【請求項１６】
前記タイミング補正はタイミング・アドバンス・コマンドにおいて受信される、
ことを特徴とする請求項１３から１５のいずれか１項に記載の方法。
【請求項１７】
前記タイミング補正と前記上りリンク要素キャリアのいずれに対して前記タイミング補正が有効であるかの情報の両方を含むメッセージが、基地局から、ＲＲＣ又はＭＡＣ制御要素を介して受信される、
ことを特徴とする請求項１３に記載の方法。
【請求項１８】
要素キャリアのアグリゲーションを適用する電気通信システムにおける通信のための上りリンク送信タイミング補正を決定する基地局（６００）であって、
選択された上りリンク要素キャリア上で、ユーザ装置（７００）から信号を受信するための受信器（６２０）と、
前記受信信号の到来時間を測定するためのユニット（６３０）と、
測定された前記到来時間に基づいて、前記上りリンク送信タイミングのタイミング補正を決定すると共に、前記ユーザ装置により使用される前記上りリンク要素キャリアのいずれに対して、決定された前記タイミング補正が有効であるかを決定するためのユニット（６４０）と、
前記タイミング補正と前記上りリンク要素キャリアのいずれに対して前記タイミング補正が有効であるかの情報を、前記ユーザ装置へ送信する送信器（６５０）と、
を有することを特徴とする基地局。
【請求項１９】
決定された前記タイミング補正が前記上りリンク要素キャリアのいずれに対して有効であるかの前記決定は、それぞれの前記上りリンク要素キャリアと関連する下りリンク・タイミング・リファレンスに基づく、
ことを特徴とする請求項１８に記載の基地局。
【請求項２０】
前記タイミング補正は、前記選択された上りリンク要素キャリアに関連する前記下りリンク・タイミング・リファレンスと揃った関連する下りリンク・タイミング・リファレンスを有する、前記上りリンク要素キャリアに対して有効であると決定される、
ことを特徴とする請求項１９に記載の基地局。
【請求項２１】
前記下りリンク・タイミング・リファレンスは、１つの下りリンク要素キャリアの同期信号又は参照信号である、
ことを特徴とする請求項２０に記載の基地局。
【請求項２２】
前記タイミング補正は、前記選択された上りリンク要素キャリアに関連する前記下りリンク・タイミング・リファレンスに対して定められたオフセットを伴う、関連する下りリンク・タイミング・リファレンスを有する前記上りリンク要素キャリアに対して有効であると決定される、
ことを特徴とする請求項１９に記載の基地局。
【請求項２３】
前記下りリンク・タイミング・リファレンスは、異なる複数の下りリンク要素キャリア上での同期信号又は参照信号である、
ことを特徴とする２０又は２２に記載の基地局。
【請求項２４】
前記要素キャリアが、複数のキャリアに跨り、異なる下りリンクまたは上りリンク割り当てを伴う時分割複信キャリアであるときに、前記タイミング補正は前記選択された要素キャリアに対してのみ有効であると決定する、
ことを特徴とする請求項１８に記載の基地局。
【請求項２５】
いずれの要素キャリアに対して前記タイミング補正が有効であるかの情報は、ＲＲＣシグナリングを介して構成される、
ことを特徴とする請求項１８から２４のいずれか１項に記載の基地局。
【請求項２６】
いずれの要素キャリアに対して前記タイミング補正が有効であるかの情報は、ＭＡＣ制御要素を伴ってシグナリングされる、
ことを特徴とする請求項１８から２４のいずれか１項に記載の基地局。
【請求項２７】
前記タイミング補正は、タイミング・アドバンス・コマンドにおいて送信される、
ことを特徴とする請求項１８から２６のいずれか１項に記載の基地局。
【請求項２８】
前記タイミング補正と前記上りリンク要素キャリアのいずれに対して前記タイミング補正が有効であるかの情報の両方を含むメッセージが、ＲＲＣ又はＭＡＣ制御要素を介してユーザ装置に送信される、
ことを特徴とする請求項１８から２４のいずれか１項に記載の基地局。
【請求項２９】
前記上りリンク送信タイミングの前記タイミング補正は到来時間リファレンスにも基づく、
ことを特徴とする請求項１８から２８のいずれか１項に記載の基地局。
【請求項３０】
要素キャリアのアグリゲーションを適用する電気通信システムにおける通信のための上りリンク送信タイミング補正を決定するユーザ装置（７００）であって、
上りリンク要素キャリア上で信号を基地局（６００）へ送信する送信器（７２０）と、
前記上りリンク送信タイミングのタイミング補正と、上りリンク要素キャリアのいずれに対して前記タイミング補正が有効であるかの情報を前記基地局から受信する受信器（７３０）と、
前記タイミング補正が有効である前記要素キャリアの前記上りリンク送信タイミングを、前記タイミング補正に基づいて調整するためのユニット（７４０）と、
を有することを特徴とするユーザ装置。
【請求項３１】
いずれの要素キャリアに対して前記タイミング補正が有効であるかの情報は、ＲＲＣシグナリングを介して構成される、
ことを特徴とする請求項３０に記載のユーザ装置。
【請求項３２】
いずれの要素キャリアに対して前記タイミング補正が有効であるかの情報は、ＭＡＣ制御要素を伴ってシグナリングされる、
ことを特徴とする請求項３０に記載のユーザ装置。
【請求項３３】
前記タイミング補正はタイミング・アドバンス・コマンドにおいて受信される、
ことを特徴とする請求項３０から３２のいずれか１項に記載のユーザ装置。
【請求項３４】
前記タイミング補正と前記上りリンク要素キャリアのいずれに対して前記タイミング補正が有効であるかの情報の両方を含むメッセージが、基地局から、ＲＲＣ又はＭＡＣ制御要素を介して受信される、
ことを特徴とする請求項３０に記載のユーザ装置。